(57)【特許請求の範囲】
【請求項１】
マイクロチャンネル（１２）中を流れる連続相（１７）に対し、前記マイクロチャンネル（１２）に交差する向きに、殻となる相（１８）が流れる供給チャンネル（１３）及び内部に内包される相（１９）が流れる供給チャンネル（１４）を配置し、前記殻となる相（１８）および前記内部に内包される相（１９）を、前記連続相（１７）の流れに交差する向きで供給するようにし、前記殻となる相（１８）を前記供給チャンネル（１３）から前記マイクロチャンネル（１２）の底部に這うように上流側から薄い層をなすように供給し、前記内部に内包される相（１９）を前記供給チャンネル（１４）から前記殻となる相（１８）の薄い層中に送り込み、マイクロカプセル（２０）を得ることを特徴とするマイクロカプセルの製造方法。
【請求項２】
両側に形成される第１のマイクロチャンネル（３２）及び第２のマイクロチャンネル（３３）中を流れる第１の連続相（３４）及び第２の連続相（３５）に対し、内部に内包される相（３８）を、前記第１の連続相（３４）及び第２の連続相（３５）の流れに交差する向きで供給し、内部に内包される微小液滴（３９）を形成し、次いで、第３のマイクロチャンネル（４０）及び第４のマイクロチャンネル（４１）中を流れる第３の連続相（４２）及び第４の連続相（４３）に対し、前記第１の連続相（３４）及び第２の連続相（３５）からなる殻となる相（４５）を、前記第３の連続相（４２）及び第４の連続相（４３）との合流ポイント（４４）で流れに交差する向きで供給し、前記内部に内包される微小液滴（３９）の外側に前記殻となる相（４５）からなる微小液滴（４６）を形成することにより、マイクロカプセル（４７）を得ることを特徴とするマイクロカプセルの製造方法。
【請求項３】
マイクロチャンネル（１４３）中を流れる第１の連続相（１４７）に対し、第１の分散相（１４８）を前記第１の連続相（１４７）の流れに交差する向きで第１の合流点（１４５）で合流させ、前記第１の分散相（１４８）が流れるマイクロチャンネル（１４２）の分散相供給口より排出するとともに、前記第１の連続相（１４７）が前記分散相供給口に入り込み、前記第１の連続相（１４７）の剪断力によって、前記第１の分散相（１４８）が流れるマイクロチャンネル（１４２）の幅よりも径の小さい微小液滴（１４９）が生成され、該微小液滴（１４９）を含む前記第１の連続相（１４７）が更に第２の連続相（１５０）と第２の合流点（１４６）で合流し、マイクロチャンネル（１４４）中を流れる第２の連続相（１５０）に対し、前記微小液滴（１４９）を含む第１の連続相（１４７）を前記第２の合流点（１４６）では第２の分散相となし、該第２の分散相を供給するマイクロチャンネルの分散相供給口より排出するとともに、前記第２の連続相（１５０）が前記第２の分散相を供給するマイクロチャンネルの分散相供給口に入り込み、前記第２の連続相（１５０）の剪断力によって、前記第２の分散相を供給するマイクロチャンネルの分散相供給口の幅よりも径の小さい、前記微小液滴（１４９）を含む第２の分散相からなるマイクロカプセル（１５１）を前記第２の連続相（１５０）中に生成することを特徴とするマイクロカプセルの製造方法。
【請求項４】
（ａ）製造装置の本体（１１）と、
（ｂ）該本体（１１）に形成されるマイクロチャンネル（１２）中を流れる連続相（１７）に対し、前記マイクロチャンネル（１２）に交差する向きに、殻となる相（１８）が流れる供給チャンネル（１３）及び内部に内包される相（１９）が流れる供給チャンネル（１４）とを備え、
（ｃ）前記マイクロチャンネル（１２）中に連続相（１７）を流し、前記殻となる相（１８）及び前記内部に内包される相（１９）を、前記連続相（１７）の流れに交差する向きに供給する手段と、
（ｄ）前記殻となる相（１８）を前記供給チャンネル（１３）から前記マイクロチャンネル（１２）の底部に這うように上流側から薄い層をなすように供給し、前記内部に内包される相（１９）を前記供給チャンネル（１４）から前記殻となる相（１８）の薄い層中に送り込み、マイクロカプセル（２０）を得る手段とを具備することを特徴とするマイクロカプセルの製造装置。
【請求項５】
（ａ）製造装置の本体（３１）と、
（ｂ）該本体（３１）の水平方向に形成され、内部に内包される相（３８）が流れる供給チャンネル（３７）と、
（ｃ）該供給チャンネル（３７）に対して両側に形成される第１の連続相（３４）を流す第１のマイクロチャンネル（３２）及び第２の連続相（３５）を流す第２のマイクロチャンネル（３３）と、
（ｄ）前記第１のマイクロチャンネル（３２）及び前記第２のマイクロチャンネル（３３）の下流において、前記第１の連続相（３４）及び第２の連続相（３５）が合流した本流に対して両側に形成される第３の連続相（４２）を流す第３のマイクロチャンネル（４０）及び第４の連続相（４３）を流す第４のマイクロチャンネル（４１）とを備え、
（ｅ）前記第１の連続相（３４）及び第２の連続相（３５）に対し、前記内部に内包される相（３８）を、前記第１の連続相（３４）及び第２の連続相（３５）の流れに交差する向きで供給し、内部に内包される微小液滴（３９）を形成する手段と、
（ｆ）前記第３のマイクロチャンネル（４０）及び前記第４のマイクロチャンネル（４１）中を流れる前記第３の連続相（４２）及び第４の連続相（４３）に対し、前記第１の連続相（３４）及び第２の連続相（３５）からなる殻となる相（４５）を、前記第３の連続相（４２）及び前記第４の連続相（４３）との合流ポイント（４４）で流れに交差する向きで供給し、前記内部に内包される微小液滴（３９）の外側に前記殻となる相（４５）からなる微小液滴（４６）を形成することにより、マイクロカプセル（４７）を得る手段を具備することを特徴とするマイクロカプセルの製造装置。
【請求項６】
請求項４又は５記載のマイクロカプセルの製造装置において、複数の殻となる相及び内部に内包される相を供給する手段として、基板（５１）と被駆動板（５２）と該基板（５１）と被駆動板（５２）間に配置される弾性部材（５３）及び前記被駆動板（５２）を駆動するアクチュエータ（５４）とを備え、前記複数の殻となる相及び内部に内包される相を同時に供給することを特徴とするマイクロカプセルの製造装置。
【発明の詳細な説明】
【技術分野】
【０００１】
本発明は、水、油、および化学的に不活性な液体中での、微小なマイクロカプセルの製造方法およびその装置に関するものである。
【背景技術】
【０００２】
従来、微小なマイクロカプセルの製造装置は薬品の製造過程において用いられており、いくつかの製造法が提案されている。例えば、第１溶液中に第２溶液を滴下する方法から、２重管の内側より空中に向けて第１溶液を滴下、外側より第２溶液を滴下する方法などさまざまである（例えば、特表平８−５０８９３３号公報参照）。また、空中への液滴散布方法としては、インクジェットプリンタなどで用いられている圧電によって液滴を噴出させる方式がある。
【特許文献１】なし
【発明の開示】
【発明が解決しようとする課題】
【０００３】
一方、実験室用機器として単分散の微小液滴を作る技術としては、特開２０００−８４３８４号がある。しかしながら、この方式では、微小液滴を作る速さが遅く、界面活性剤やマイクロカプセルの外皮に包み込むことが出来ないという問題があった。また、微小液滴径は、マイクロチャンネル幅の３倍以上のものしか形成することができなかった。
【０００４】
本発明は、上記状況に鑑みて、２段階に作用させた分散相にさらに連続相を作用させて、簡便に、しかも迅速にマイクロカプセルを生成させることができるマイクロカプセルの製造方法およびその装置を提供することを目的とする。
【課題を解決するための手段】
【０００５】
本発明は、上記目的を達成するために、
〔１〕マイクロカプセルの製造方法において、マイクロチャンネル（１２）中を流れる連続相（１７）に対し、前記マイクロチャンネル（１２）に交差する向きに、殻となる相（１８）が流れる供給チャンネル（１３）及び内部に内包される相（１９）が流れる供給チャンネル（１４）を配置し、前記殻となる相（１８）および前記内部に内包される相（１９）を、前記連続相（１７）の流れに交差する向きで供給するようにし、前記殻となる相（１８）を前記供給チャンネル（１３）から前記マイクロチャンネル（１２）の底部に這うように上流側から薄い層をなすように供給し、前記内部に内包される相（１９）を前記供給チャンネル（１４）から前記殻となる相（１８）の薄い層中に送り込み、マイクロカプセル（２０）を得ることを特徴とする。
【０００６】
〔２〕マイクロカプセルの製造方法において、両側に形成される第１のマイクロチャンネル（３２）及び第２のマイクロチャンネル（３３）中を流れる第１の連続相（３４）及び第２の連続相（３５）に対し、内部に内包される相（３８）を、前記第１の連続相（３４）及び第２の連続相（３５）の流れに交差する向きで供給し、内部に内包される微小液滴（３９）を形成し、次いで、第３のマイクロチャンネル（４０）及び第４のマイクロチャンネル（４１）中を流れる第３の連続相（４２）及び第４の連続相（４３）に対し、前記第１の連続相（３４）及び第２の連続相（３５）からなる殻となる相（４５）を、前記第３の連続相（４２）及び第４の連続相（４３）との合流ポイント（４４）で流れに交差する向きで供給し、前記内部に内包される微小液滴（３９）の外側に前記殻となる相（４５）からなる微小液滴（４６）を形成することにより、マイクロカプセル（４７）を得ることを特徴とする。
【０００７】
〔３〕マイクロカプセルの製造方法において、マイクロチャンネル（１４３）中を流れる第１の連続相（１４７）に対し、第１の分散相（１４８）を前記第１の連続相（１４７）の流れに交差する向きで第１の合流点（１４５）で合流させ、前記第１の分散相（１４８）が流れるマイクロチャンネル（１４２）の分散相供給口より排出するとともに、前記第１の連続相（１４７）が前記分散相供給口に入り込み、前記第１の連続相（１４７）の剪断力によって、前記第１の分散相（１４８）が流れるマイクロチャンネル（１４２）の幅よりも径の小さい微小液滴（１４９）が生成され、この微小液滴（１４９）を含む前記第１の連続相（１４７）が更に第２の連続相（１５０）と第２の合流点（１４６）で合流し、マイクロチャンネル（１４４）中を流れる第２の連続相（１５０）に対し、前記微小液滴（１４９）を含む第１の連続相（１４７）を前記第２の合流点では第２の分散相となし、この第２の分散相を供給するマイクロチャンネルの分散相供給口より排出するとともに、前記第２の連続相（１５０）が前記第２の分散相を供給するマイクロチャンネルの分散相供給口に入り込み、前記第２の連続相（１５０）の剪断力によって、前記第２の分散相を供給するマイクロチャンネルの分散相供給口の幅よりも径の小さい、前記微小液滴（１４９）を含む第２の分散相からなるマイクロカプセル（１５１）を前記第２の連続相（１５０）中に生成することを特徴とする。
【０００８】
〔４〕マイクロカプセルの製造装置において、製造装置の本体（１１）と、この本体（１１）に形成されるマイクロチャンネル（１２）中を流れる連続相（１７）に対し、前記マイクロチャンネル（１２）に交差する向きに、殻となる相（１８）が流れる供給チャンネル（１３）及び内部に内包される相（１９）が流れる供給チャンネル（１４）とを備え、前記マイクロチャンネル（１２）中に連続相（１７）を流し、前記殻となる相（１８）及び前記内部に内包される相（１９）を、前記連続相（１７）の流れに交差する向きに供給する手段と、前記殻となる相（１８）を前記供給チャンネル（１３）から前記マイクロチャンネル（１２）の底部に這うように上流側から薄い層をなすように供給し、前記内部に内包される相（１９）を前記供給チャンネル（１４）から前記殻となる相（１８）の薄い層中に送り込み、マイクロカプセル（２０）を得る手段とを具備することを特徴とする。
【０００９】
〔５〕マイクロカプセルの製造装置において、製造装置の本体（３１）と、この本体（３１）の水平方向に形成され、内部に内包される相（３８）が流れる供給チャンネル（３７）と、この供給チャンネル（３７）に対して両側に形成される第１の連続相（３４）を流す第１のマイクロチャンネル（３２）及び第２の連続相（３５）を流す第２のマイクロチャンネル（３３）と、前記第１のマイクロチャンネル（３２）及び前記第２のマイクロチャンネル（３３）の下流において、前記第１の連続相（３４）及び第２の連続相（３５）が合流した本流に対して両側に形成される第３の連続相（４２）を流す第３のマイクロチャンネル（４０）及び第４の連続相（４３）を流す第４のマイクロチャンネル（４１）とを備え、前記第１の連続相（３４）及び第２の連続相（３５）に対し、前記内部に内包される相（３８）を、前記第１の連続相（３４）及び第２の連続相（３５）の流れに交差する向きで供給し、内部に内包される微小液滴（３９）を形成する手段と、前記第３のマイクロチャンネル（４０）及び前記第４のマイクロチャンネル（４１）中を流れる前記第３の連続相（４２）及び第４の連続相（４３）に対し、前記第１の連続相（３４）及び第２の連続相（３５）からなる殻となる相（４５）を、前記第３の連続相（４２）及び前記第４の連続相（４３）との合流ポイント（４４）で流れに交差する向きで供給し、前記内部に内包される微小液滴（３９）の外側に前記殻となる相（４５）からなる微小液滴（４６）を形成することにより、マイクロカプセル（４７）を得る手段を具備することを特徴とする。
【００１０】
〔６〕上記〔４〕又は〔５〕記載のマイクロカプセルの製造装置において、複数の殻となる相及び内部に内包される相を供給する手段として、基板（５１）と被駆動板（５２）とこの基板（５１）と被駆動板（５２）間に配置される弾性部材（５３）及び前記被駆動板（５２）を駆動するアクチュエータ（５４）とを備え、前記複数の殻となる相及び内部に内包される相を同時に供給することを特徴とする。
【発明の効果】
【００１１】
本発明によれば、２段階に作用させた分散相にさらに連続相を作用させて、簡便に、しかも迅速にマイクロカプセルを生成させることができる。
【発明を実施するための最良の形態】
【００１２】
以下、本発明の実施の形態について詳細に説明する。
【００１３】
図１は本発明の第１参考例を示す微小液滴の製造装置の平面図、図２は本発明の第１参考例を示す微小液滴の製造方法の説明図である。ここで、図２（ａ）はその微小液滴の製造方法（その１）の説明図、図２（ｂ）はその微小液滴の製造方法（その２）の説明図であり、図２（ｂ−１）はその部分断面図、図２（ｂ−２）は図２（ｂ−１）のＡ−Ａ線断面矢視図である。
【００１４】
これらの図において、１は微小液滴の製造装置の本体、２はその本体１に形成された、連続相が流れるマイクロチャンネル、３はそのマイクロチャンネル２に交差する向きに形成される分散相供給チャンネル、４は分散相供給口、５は連続相（例えば、油）、６は分散相（例えば、水）、７は微小液滴、８は疎水性の膜である。
【００１５】
そこで、マイクロチャンネル２中を流れる連続相５に対し、分散相６を、図２に示すような連続相５の流れに交差する向きで供給し、連続相５が分散相供給口４に一部入り込むことにより、分散相供給チャンネル３の幅より径の小さい微小液滴７を製造することができる。
【００１６】
例えば、分散相（水）６の圧力を２．４５ｋＰａに固定した場合、連続相（油：オレイン酸７０％）５の圧力を４．８５ｋＰａにしたときは、マイクロチャンネル２及び３のサイズを幅１００μｍ、高さ幅１００μｍとした場合に、微小液滴径が約２５μｍとなり、連続相の圧力を５．０３ｋＰａにしたときは、微小液滴径が約５μｍのものを得ることができる。
【００１７】
また、図２（ｂ−１）、（ｂ−２）に示すように、連続相（例えば、油）５と分散相（例えば、水）６とが合流する近傍の連続相５が流れるマイクロチャンネル２及び分散相供給チャンネル３の内壁面に、微小液滴７を生成しやすい（微小液滴をはじき飛ばしやすい）ように、疎水性の膜８を形成することが好適である。
【００１８】
なお、上記参考例では、連続相５が油であり、分散相６が水であるので疎水性の膜８が好適であるが、連続相が水であり、分散相が油である場合には、親水性の膜を設けるようにすることが好適である。
【００１９】
図３は本発明の第１実施例を示すマイクロカプセルの製造装置の平面図、図４はそのマイクロカプセルの製造方法の説明図である。
【００２０】
これらの図において、１１はマイクロカプセルの製造装置の本体、１２はその本体１１に形成された、連続相が流れるマイクロチャンネル、１３はそのマイクロチャンネル１２に交差する向きに形成された、殻となる相供給チャンネル、１４はマイクロチャンネル１２に交差する向きに形成された、内部に内包される相供給チャンネル、１５は殻となる相供給口、１６は内包される相供給口、１７は連続相（例えば、水）、１８は殻となる相、１９は内部に内包される相、２０はマイクロカプセルである。
【００２１】
そこで、マイクロチャンネル１２中を流れる連続相１７に対し、殻となる相１８および内部に内包される相１９を、図４に示すような連続相１７の流れに交差する向きで供給し、殻となる相１８は内部に内包される相１９に対して上流側から薄い層をなすように供給する。
【００２２】
図５は本発明の第２参考例を示す微小液滴の製造装置の平面図、図６はその微小液滴の製造方法の説明図である。
【００２３】
これらの図において、２１は微小液滴の製造装置の本体、２２は第１のマイクロチャンネル、２３は第２のマイクロチャンネル、２４は第１の連続相、２５は第２の連続相、２６は第１の連続相２４と第２の連続相２５との合流ポイント、２７は分散相供給チャンネル、２８は分散相、２９は微小液滴である。
【００２４】
そこで、マイクロチャンネル２２，２３中を流れる連続相２４，２５の合流ポイント２６で、図６に示すように連続相２４，２５の流れに交差するように分散相２８を送り出して微小液滴２９を製造することができる。
【００２５】
図７は本発明の第２実施例を示すマイクロカプセルの製造装置の平面図、図８はそのマイクロカプセルの製造方法の説明図である。
【００２６】
これらの図において、３１はマイクロカプセルの製造装置の本体、３２はその本体３１に形成され、連続相が流れる第１のマイクロチャンネル、３３はその本体３１に形成され、連続相が流れる第２のマイクロチャンネル、３４は第１の連続相（例えば、油）、３５は第２の連続相（例えば、油）、３６は第１の連続相３４と第２の連続相３５との合流ポイント、３７は内部に内包される相供給チャンネル、３８は内部に内包される相（例えば、水）、３９は微小液滴（例えば、水球）、４０は本体３１に形成され、連続相が流れる第３のマイクロチャンネル、４１は本体３１に形成され、連続相が流れる第４のマイクロチャンネル、４２は第３の連続相（例えば、水）、４３は第４の連続相（例えば、水）、４４は第３の連続相４２と第４の連続相４３との合流ポイント、４５は殻となる相、４６は殻となる微小液滴、４７はマイクロカプセルである。
【００２７】
そこで、第１及び第２のマイクロチャンネル３２，３３中を流れる連続相３４，３５に対し、内部に内包される相３８を、図８に示すように、第１，第２の連続相３４，３５の流れに交差する向きで供給し、内包される微小液滴３９を形成する。
【００２８】
次いで、第３及び第４のマイクロチャンネル４０，４１中を流れる連続相４２，４３に対し、合流した第１及び第２の連続相３４，３５からなる殻となる相４５を、第３の連続相４２と第４の連続相４３との合流ポイント４４で流れに交差する向きで供給し、内包される微小液滴３９の外側に殻となる被覆を形成することにより、マイクロカプセル４７を製造することができる。
【００２９】
なお、この実施例では、マイクロカプセル４７に１個の微小液滴３９が含まれているが、複数個の微小液滴３９を含ませるようにしてもよい。
【００３０】
因みに、第１、第２のマイクロチャンネル３２，３３、及び分散相供給チャンネル３７のサイズを幅１００μｍ、高さ幅１００μｍとし、第３のマイクロチャンネル（微小液滴３９が存在するチャンネル）を幅５００μｍ、高さ幅１００μｍとして、連続相及び分散相高さ（圧力に換算される）を変化させたときの粒子径を図９に示す。このことから明らかなように、連続相及び分散相高さ（圧力に換算される）を変化させることにより、粒子径を制御できることがわかる。
【００３１】
図１０は本発明の第３実施例を示す微小液滴の製造装置の分散相または殻となる相や内部に内包される相を送り出す機構の説明図であり、図１０（ａ）はピエゾアクチュエータが伸長し相を送り出す前を示す図、図１０（ｂ）はピエゾアクチュエータが伸縮し相を送り出す状態を示す図である。
【００３２】
これらの図において、５１は基板、５２は被駆動板、５３はラバー、５４はその被駆動板５２の両端に配置されるピエゾアクチュエータ、５５ａ〜５５ｄは複数の供給口、５６ａ〜５６ｄは１つの分散相に形成される複数の経路である。この分散相の下部にはバックプレッシャがかかっている。
【００３３】
図１０（ａ）に示すように、複数の経路５６ａ〜５６ｄが形成されており、それらが、図１０（ｂ）に示すように、ピエゾアクチュエータ５４が縮小することによって同時に分散相を送り出すことができる。
【００３４】
なお、上記したピエゾアクチュエータに代えて各種のアクチュエータを用いるようにしてもよい。
【００３５】
図１１は本発明の第４実施例を示す微小液滴の製造装置の分散相または殻となる相や内部に内包される相を送り出す機構の説明図であり、図１１（ａ）はバイモルフアクチュエータが平板状で相を送り出す前を示す図、図１１（ｂ）はバイモルフアクチュエータが曲がって相を送り出している状態を示す図である。
【００３６】
これらの図において、６１はバイモルフアクチュエータ、６２は固定板、６３はラバー、６４ａ〜６４ｄは複数の供給口、６５ａ〜６５ｄは１つの分散相に形成される複数の経路である。この分散相の下部にはバックプレッシャがかかっている。
【００３７】
このように、図１１（ａ）に示すように、複数の経路６５ａ〜６５ｄが形成されており、図１１（ｂ）に示すように、バイモルフアクチュエータ６１の駆動（上部への湾曲）により、同時に分散相を送り出すことができる。
【００３８】
図１２は本発明の第５実施例を示す微小液滴の製造装置の分散相または殻となる相や内部に内包される相を送り出す機構の説明図であり、図１２（ａ）は電歪性高分子体が駆動されていない、相を送り出す前を示す図、図１２（ｂ）は電歪性高分子体が駆動（伸縮）され相を送り出している状態を示す図である。
【００３９】
これらの図において、７１は基板、７２は被駆動板、７３は電歪性高分子体、７４ａ〜７４ｄは複数の供給口、７５ａ〜７５ｄは１つの分散相に形成される複数の経路である。この分散相の下部にはバックプレッシャがかかっている。
【００４０】
図１２（ａ）に示すように、複数の経路７５ａ〜７５ｄが形成されており、図１２（ｂ）に示すように、電歪性高分子体７３の駆動（縮小）により、同時に分散相を送り出すことができる。
【００４１】
図１３は本発明の第６実施例を示す微小液滴の製造装置の分散相供給口の開閉機構の構成図であり、図１３（ａ）はピエゾアクチュエータが駆動されていない（縮小状態）、相のゲートを開いた状態を示す図、図１３（ｂ）はピエゾアクチュエータが駆動（伸縮）され、相のゲートを閉じている状態を示す図である。
【００４２】
これらの図において、８１は基板、８２はラバー、８３は被駆動板、８４は両側に配置されるピエゾアクチュエータ、８５は固定板、８６ａ〜８６ｄは複数のゲートである。
【００４３】
この図に示すように、複数のゲート８６ａ〜８６ｄが形成されており、両側に配置された２個のピエゾアクチュエータ８４の駆動により、それら全ての相のゲートを閉じることができる。
【００４４】
なお、上記したピエゾアクチュエータに代えて各種のアクチュエータを用いるようにしてもよい。
【００４５】
図１４は本発明の第７実施例を示す微小液滴の製造装置の分散相供給口の開閉機構の構成図であり、図１４（ａ）はバイモルフアクチュエータが駆動されていない（平板状態）、相のゲートを開いた状態を示す図、図１４（ｂ）はバイモルフアクチュエータが駆動（下部へ湾曲した状態）され、相のゲートを閉じている状態を示す図である。
【００４６】
これらの図において、９１は基板、９２はラバー、９３はバイモルフアクチュエータ、９４ａ〜９４ｄは複数のゲートである。
【００４７】
これらの図に示すように、複数のゲート９４ａ〜９４ｄが形成されており、バイモルフアクチュエータ９３の駆動により、同時に複数のゲート９４ａ〜９４ｄを閉じることができる。
【００４８】
図１５は本発明の第８実施例を示す微小液滴の製造装置の分散相供給口の開閉機構の構成図であり、図１５（ａ）は電歪性高分子体が駆動されていない、相のゲートを開いた状態を示す図、図１５（ｂ）は電歪性高分子体が駆動（縮小）され相のゲートを閉じた状態を示す図である。
【００４９】
これらの図において、１０１は基板、１０２は被駆動板、１０３は電歪性高分子体、１０４ａ〜１０４ｄは複数のゲートである。
【００５０】
図１５（ａ）に示すように、電歪性高分子体１０３が駆動されていない状態（伸長）により、複数のゲート１０４ａ〜１０４ｄが開かれており、図１５（ｂ）に示すように、電歪性高分子体１０３の駆動（縮小）により、同時に複数のゲート１０４ａ〜１０４ｄを閉じることができる。
【００５１】
図１６は本発明の第３参考例を示すエマルションの製造装置の平面図であり、図１６（ａ）はそのエマルションの製造装置に分散相が導入される前の状態を示す平面図、図１６（ｂ）はそのエマルションの製造装置に液体が充填されている状態を示す平面図、図１６（ｃ）はそのエマルションの製造装置に大きな液滴をセットし、静電気による移動電界によって微小液滴（エマルション）を生成させている状態を示す図である。
【００５２】
これらの図において、１１１は基板、１１２はその基板１１１上に形成された電極、１１３はその電極１１２が形成された基板１１１上に形成されるマイクロチャンネル、１１４は分散相、１１５はマイクロチャンネル１１３を通過することにより生成されるエマルションを示している。
【００５３】
この実施例では、マイクロチャンネル１１３に対して直交するように電極１１２が形成されており、電極１１２に印加される移動電界によりエマルション１１５が生成され、エマルション１１５は電極１１２に印加される静電気による移動電界により電極に直交する方向（ここでは下方）へと案内されることになる。
【００５４】
また、その移動電界の移動速度を変えることにより微小液滴の生成速度を変化させることができる。
【００５５】
図１７は本発明の第４参考例を示すエマルションの製造装置の平面図であり、図１７（ａ）はそのエマルションの製造装置に分散相が導入される前の状態を示す平面図、図１７（ｂ）はそのエマルションの製造装置に分散相が導入されエマルションが生成されていく状態を示す図である。
【００５６】
これらの図において、１２１は基板、１２２はその基板１２１上に形成された電極、１２３はその電極が形成された基板１２１上に形成されるマイクロチャンネル、１２４は分散相、１２５はマイクロチャンネル１２３を通過することにより生成されるエマルションを示している。
【００５７】
この参考例では、マイクロチャンネル１２３の出口側では電極１２２が縦方向に形成されており、生成されたエマルション１２５は電極１２２に印加される静電気により水平方向に案内されることになる。
【００５８】
図１８は本発明の第５参考例を示すエマルション生成装置の説明図であり、図１８（ａ）はその単分散エマルション生成装置の全体構成を示す模式図であり、図１８（ａ−１）はその左側面図、図１８（ａ−２）はその平面の模式図、図１８（ａ−３）はその右側面図である。図１８（ｂ）はその第１の合流点の説明図、図１８（ｃ）はその第２の合流点の説明図である。
【００５９】
これらの図において、１３１は微小液滴の製造装置の本体、１３２は分散相が流れるマイクロチャンネル、１３３は第１の連続相が流れるマイクロチャンネル、１３４は第２の連続相が流れるマイクロチャンネル、１３５は分散相と第１の連続相が合流する第１の合流点、１３６は分散相と第１の連続相および第２の連続相が合流する第２の合流点、１３７は第１の連続相、１３８は分散相、１３９は第２の連続相、１４０は生成されたエマルションである。
【００６０】
この参考例では、第１の合流点１３５で分散相１３８と第１の連続相１３７が合流して第１の連続相１３７と分散相１３８との２相流を作る。さらに、第２の合流点１３６において第１の連続相１３７と分散相１３８との２相流と第２の連続相１３９が合流するが、このときに分散相１３８よりエマルション１４０が生成される。
【００６１】
この参考例によれば、チャンネル幅に対して粒径の小さいエマルションを容易に生成することができるという利点がある。
【００６２】
図１９は本発明の第９実施例を示すマイクロカプセル生成装置の説明図であり、図１９（ａ）はそのマイクロカプセル生成装置の全体構成を示す模式図であり、図１９（ａ−１）はその左側面図、図１９（ａ−２）はその平面の模式図、図１９（ａ−３）はその右側面図である。図１９（ｂ）はその第１の合流点の説明図、図１９（ｃ）はその第２の合流点の説明図である。
【００６３】
これらの図において、１４１はマイクロカプセルの製造装置の本体、１４２は第１の分散相（例えば、水）が流れるマイクロチャンネル、１４３は第１の連続相（例えば、油）が流れるマイクロチャンネル、１４４は第２の連続相（例えば、水）が流れるマイクロチャンネル、１４５は第１の分散相と第１の連続相が合流する第１の合流点、１４６は第１の分散相と第１の連続相（ただし、第２の合流点では第２の分散相となる）および第２の連続相が合流する第２の合流点、１４７は第１の連続相（ただし、第２の合流点では第２の分散相となる）、１４８は第１の分散相、１４９はエマルション（例えば、水）、１５０は第２の連続相、１５１は生成されたマイクロカプセルであり、１つ又は２つ以上のエマルション１４９を第２の分散相からなるマイクロカプセル１５１内に包含させることができる。
【００６４】
図２０は本発明のゴム弾性変形を利用した微小液滴（エマルション・マイクロカプセル）の大量生成装置の構成図、図２１はその第１の生成装置の動作の説明図である。
【００６５】
これらの図において、１６０はリニアモータ、１６１は液槽、１６２は蓋、１６３は分散相、１６４は上部ステンレス板、１６５はゴム部材、１６６は下部ステンレス板、１６７はマイクロチャンネル、１６８は連続相、１６９は生成されたエマルション（微小液滴）である。なお、アクチュエータとしてのリニアモータ１６０に代えて、ピエゾやその他のアクチュエータを用いるようにしてもよい。
【００６６】
そこで、バックプレッシャがかけられた液槽１６１〔図２１（ａ）参照〕に上方からリニアモータ１６０を駆動して、圧力を加えると、上部ステンレス板１６４と下部ステンレス板１６６間に挟着されたゴム部材１６５が押さえ付けられて〔図２１（ｂ）参照〕、分散相１６３がマイクロチャンネル１６７からちぎられて排出され、微小液滴１６９が生成される。その場合に、上部ステンレス板１６４とゴム部材１６５と下部ステンレス板１６６に、多くのマイクロチャンネル１６７を形成しておくことにより、リニアモータ１６０の一度の駆動により大量の微小液滴１６９を容易に生成させることができる。
【００６７】
図２２は、図２０に示される第２の微小液滴の大量生成装置の動作の説明図である。
【００６８】
ここでは、複数のマイクロチャンネル１６７の流路の径の下部が絞られるテーパ１６７Ａが形成される狭窄部１６７Ｂを設けるようしている。
【００６９】
そこで、バックプレッシャがかけられた液槽１６１〔図２２（ａ）参照〕に上方からリニアモータ１６０を駆動して、圧力を加えると、上部ステンレス板１６４と下部ステンレス板１６６間に挟着されたゴム部材１６５が上方から押さえ付けられて〔図２２（ｂ）参照〕、分散相１６３がマイクロチャンネル１６７からちぎられて排出され、微小液滴１６９が生成される。その場合に、テーパ１６７Ａにより、マイクロチャンネル１６７の流路の径の下部が絞られているために、微小液滴１６９は下方に効率的に排出される効果がある。
【００７０】
図２３は、図２０に示される第３の微小液滴の大量生成装置の動作の説明図である。
【００７１】
ここでは、複数のマイクロチャンネル１６７の流路の径の下部が絞られる第１のテーパ１６７Ｃとこの流路の径の更なる下部が拡げられる第２のテーパ１６７Ｄが形成される狭窄部１６７Ｅを備えるようにしている。
【００７２】
そこで、バックプレッシャがかけられた液槽１６１〔図２３（ａ）参照〕に上方からリニアモータ１６０を駆動して、圧力を加えると、上部ステンレス板１６４と下部ステンレス板１６６間に挟着されたゴム部材１６５が上方から押さえ付けられて〔図２３（ｂ）参照〕、分散相１６３がマイクロチャンネル１６７からちぎられて排出され、微小液滴１６９′が生成される。その場合に、その微小液滴１６９′は、第１のテーパ１６７Ｃによりマイクロチャンネル１６７からちぎられ、第２のテーパ１６７Ｄにより、そのちぎられた分散相の微小液滴１６９′は下方にガイドされてより効率的に排出される効果がある。
【００７３】
なお、本発明は上記実施例に限定されるものではなく、本発明の趣旨に基づいて種々の変形が可能であり、これらを本発明の範囲から排除するものではない。
【産業上の利用可能性】
【００７４】
本発明のマイクロカプセルの製造方法およびその装置によれば、簡便に、しかも迅速にマイクロカプセルを生成させることができ、薬品の製造分野やバイオテクノロジーの分野に好適である。
【図面の簡単な説明】
【００７５】
【図１】本発明の第１参考例を示す微小液滴の製造装置の平面図である。
【図２】本発明の第１参考例を示す微小液滴の製造方法の説明図である。
【図３】本発明の第１実施例を示すマイクロカプセルの製造装置の平面図である。
【図４】本発明の第１実施例を示すマイクロカプセルの製造方法の説明図である。
【図５】本発明の第２参考例を示す微小液滴の製造装置の平面図である。
【図６】本発明の第２参考例を示す微小液滴の製造方法の説明図である。
【図７】本発明の第２実施例を示すマイクロカプセルの製造装置の平面図である。
【図８】本発明の第２実施例を示すマイクロカプセルの製造方法の説明図である。
【図９】本発明の第２実施例において連続相及び分散相高さを変化させたときの粒子径を示す図である。
【図１０】本発明の第３実施例を示すマイクロカプセルの製造装置の分散相または殻となる相や内部に内包される相を送り出す機構の説明図である。
【図１１】本発明の第４実施例を示すマイクロカプセルの製造装置の分散相または殻となる相や内部に内包される相を送り出す機構の説明図である。
【図１２】本発明の第５実施例を示すマイクロカプセルの製造装置の分散相または殻となる相や内部に内包される相を送り出す機構の説明図である。
【図１３】本発明の第６実施例を示すマイクロカプセルの製造装置の分散相供給口の開閉機構の構成図である。
【図１４】本発明の第７実施例を示すマイクロカプセルの製造装置の分散相供給口の開閉機構の構成図である。
【図１５】本発明の第８実施例を示すマイクロカプセルの製造装置の分散相供給口の開閉機構の構成図である。
【図１６】本発明の第３参考例を示すエマルションの製造装置の平面図である。
【図１７】本発明の第４参考例を示すエマルションの製造装置の平面図である。
【図１８】本発明の第５参考例を示すエマルション生成装置の説明図である。
【図１９】本発明の第９実施例を示すマイクロカプセル生成装置の説明図である。
【図２０】本発明のゴム弾性変形を利用した微小液滴の大量生成装置の構成図である。
【図２１】図２０に示される第１の微小液滴の大量生成装置の動作の説明図である。
【図２２】図２０に示される第２の微小液滴の大量生成装置の動作の説明図である。
【図２３】図２０に示される第３の微小液滴の大量生成装置の動作の説明図である。
【図１】
0004176683.tif 000002
【図２】
0004176683.tif 000003
【図３】
0004176683.tif 000004
【図４】
0004176683.tif 000005
【図５】
0004176683.tif 000006
【図６】
0004176683.tif 000007
【図７】
0004176683.tif 000008
【図８】
0004176683.tif 000009
【図９】
0004176683.tif 000010
【図１０】
0004176683.tif 000011
【図１１】
0004176683.tif 000012
【図１２】
0004176683.tif 000013
【図１３】
0004176683.tif 000014
【図１４】
0004176683.tif 000015
【図１５】
0004176683.tif 000016
【図１６】
0004176683.tif 000017
【図１７】
0004176683.tif 000018
【図１８】
0004176683.tif 000019
【図１９】
0004176683.tif 000020
【図２０】
0004176683.tif 000021
【図２１】
0004176683.tif 000022
【図２２】
0004176683.tif 000023
【図２３】
0004176683.tif 000024